(57)【要約】【課題】足のむくみと冷え性をからだ本来の機能を向上させる携帯性の高く肉体に対し余分な刺激が無く安全な補助機具で根本から解消させる。【解決手段】絶縁物質（シリコン）などで扇状の２種類の電位の違う金属を固定した半導体状のパットを足の内側の踝の延長上で袋はぎの下辺りから５〜１０ｃｍおきに２〜３個固定する。この半導体状のパットで血流をコントロールして居る筋肉の電位を安定させよどんだ血液と疲労物質をきちんと流れるようにする事で解決する。【選択図】図３
2005261895.tif 000002
【特許請求の範囲】
【請求項１】
電位（電荷）の違う２種類の金属を絶縁体（シリコンなど）で平行に２種類の金属を固定し造られた半導体状の物質を踝の上から袋はぎの下辺りの内側の静脈の近辺に直接肌に当る様に靴下やストッキングサポーター及びテーピング叉はそれと同等に肌に直接触れさせる事のできる物などで２〜３個２種類の金属が左右反転し交互な向きに成る様に配置固定する（素肌に当るなら固定する物の形態はどの様な物を使用しても構わない。）血流を促進している筋肉の電位（電荷）の低下を半導体状態の此の２種類の電位の違う金属を絶縁物質で固定されたパットが疲労に因る筋肉の電位の低下を金属の持つ電位で補う。
【請求項２】
上記の２種類の金属の電位（電荷）は離れている物を選択する。（例えばチタンとアルミ＊検証では使用）
【請求項３】
上記の金属は薄い扇型のプレートもしくは針金状にした物を半円状のサークルを作り２種類を一対平行に配置しシリコンなどの絶縁物質に互いが接触しない様に配置し固定する叉肌に触れる部分は面取りをして肌に傷を付けない様にする
【請求項４】
このパットを（靴下及びストッキング、サポーターなどの固定する事が可能な物）固定するさいに２種類の金属が電導体に接触しない様にする。
【発明の詳細な説明】
【発明の詳細な説明】
【技術分野】
【０００１】本発明は冷え性や足のむくみを解消する為の物で在る。冷え性や足のむくみは血流はの不全に因り起る。筋力の不足及び長時間同じ姿勢を保つ事で血液の酸素濃度が低下し血液循環能力も低下させ重力に逆らい足先から心臓迄血液を運ぶスピードが低下する事が原因で疲労物質と酸素交換した後の汚れた血液が局部に留まり起る。又冷え性の冷えの原因は溜まっている汚れた血液が筋肉の発熱を促さない為に血液の温度低下に繋がる事に因り引き起こされる。そこで血行の促進させる筋肉の電位を安定させる事での血流の安定が症状改善の為に不可欠と成る。従って本発明は血行促進させている筋肉を安定的且つ持続適に働かせる為に肉体の外部からどの様に血流に関わる筋肉に刺激を与え働かすかに関する。
【発明の実施と形態】
【０００２】本発明は袋はぎの内側の静脈近辺に２種類の電位（電荷）違う金属を絶縁物質で固定した部品を肌に数点接触させて外部から血流促進させる事に因り冷え性及び足のむくみを解消させる。何故本発明が血流を促進させるかと言えば、動物の筋肉は酸素と栄養物質が結合し起る起電力でコントロールされている。低周波を利用したマッサージ機やダイエット用の低周波パットは外部から電気の刺激を与える事に因り筋肉を刺激している。従って動物の筋肉は電気エネルギーで動いていると言っても過言では無い。しかし強い電気刺激で在れば全ての筋肉に働き掛ける為日常生活には適さない。そこで人間の身体に流れる電位の低下を防げぎ安定させる事に因り冷え性や血行不良に伴うむくみや痛みを自身力で取り除く事が出来る。よって本発明は血流を司る筋肉の電位低下をコンデンサーと同じ様な構造のパットで電位の低下を防ぎ血管疲労物質や老廃物を患部に溜ない様に筋肉に流れる電位を安定させるだけで個々の筋肉に環礁しない様にする。従って装着時の血流は常に安定した形で体内を循環する。又此の物は血流の促進を装着者本人の筋肉に直接働き架け血流を司る筋肉のエネルギー代謝が向上しエネルギー消費も増えるもので在るから、本発明の物を足に接触し継続使用することで個人差は有るが安定したサイズダウンに繋がる。
【発明の開示】
【発明が解決しようとする課題】
【０００３】現在冷え性や足のむくみの解消方は大きくわけて２〜３種類の方法で解決しようとして居る先ず多いのがカプサイチン（唐辛子などに含まれる発汗物質）を始とした天然の植物や動物の成分を練り込んだクリーム状の物質を患部に塗るものとソックスやストキングなどの締め付け方を場所によって変える物そして休息時にマッサージしながらクリーム状の薬品を塗り込む物が主流で在る。先ず最初の薬効性のクリームは人に因りか肌に合わずぶれやかゆみを伴うトラブルを発生させる。又持続時間も塗方やその量に因り臭いや利き目の善し悪しが在る。２番目のソックスやスットキングに因る解決は見た目重視で有り効果は物理的な圧力に因る物であり自立した肉体力では無く締め付けた圧力で形をとどめる事に近い最後のマッサージの後に薬効成分の含まれたクリームを塗るのはむくみや冷え性に成った後の解消をする物で在りその症状をその場で解消する物では無い。その他の物では遠赤外線効果で患部を温める物も存在するが基本的に保温効果は高いが自分の体の力に因る回復では無い。基本的に血流の向上に因り淀んだ血液と疲労物質を排出する事で有る。
【課題を解決するための手段】
【０００４】本発明の課題として考えたのは冷え性やむくみの現象を消すだけでは無く発生原因から解決する事で有る。先ず足の冷え性やむくみが何故発生するのかで有るが我々が重力に逆らい二足歩行を始めた事に因り足の先の血液は四つ足歩行とくらべ足の末端に汚れた血液や疲労物質が溜まり易く成った事と硬い地面の上での生活、そして移動手段の発達に因る運動量の低下に伴う筋肉量の減少この全てが重なり足などの末端の血流を促進させる筋肉に対してのエネルギー量の低下が考えられる。そして筋肉は酸素とエネルギー物質の結合時に発生する電気エネルギーに因り活動する。そこで足の筋肉をモーターに置き換え、栄養素をエネルギーに変える細胞を配線と置き換えて考えると、エネルギーに変える細胞の起電力を安定した電圧にして筋肉に送るための補助回路に当る物を作れば、むくみや冷え性の解消ができる。そこで半導体（コンデンサー状のもの）を皮膚に直接触れさせる事で足の電位を安定させ血流を常に最善の状態で保つ事が出来る。
【実施例】
【０００５】シリコンに直径５ｍｍ前後の扇形状の２種類電位（電荷）の違う金属（例えばアルミとチタン＊検証実験ではこの取り合わせで靴下に固定して検証した。）をセットして靴下などに固定して足に接触させる。セットさせる位置は内側の踝の延長線上で袋はぎの下辺りから踝迄の間に数個（２〜３個）あたる要に固定する。実験では靴下を利用したが踝の延長上で袋はぎ迄の合だに金属部分を設置出来ればストッキングやサポーターそしてテーピングに由る固定でも構わない。パットは足に対して垂直に設置し電位（電荷）の違う２種類金属（チタンとアルミ）が上下で左右の配置が逆転するように設置する。検証事件は靴下に付けたタイプの物で行なった。協力してくれたのは、年令２２歳の美容師の女性で平均的な体型で健康で有るが、足のむくみと冷え性の症状を持っていた。又仕事柄、長時間の立ち仕事である。彼女の着用時の平均時間は１１時間で有る。又、比較の為着用日と非着用日における足の３ケ所のサイズと一週間連続で一日平均１１時間着用した時の３ケ所の計測に協力してもらった。（表内の数値の単位はｃｍである。
【表１】
の数値は朝→夜である。
【表２】
の数値は一週間毎日平均１１時間履き続けた時の朝の測定値である）
【表１】
2005261895.tif 000003
【表２】
2005261895.tif 000004
この検証実験の後の協力してくれた被験者は検証以前はきつく履きづらかったブーツが楽に履ける様に成った。この事からも足を細くする効果は見て取れるが
【表２】
のデータの変化が少ないのは検証期間が一週間と短すぎたかもしれない。しかし
【表１】
の結果の着用時の効力は朝の状態をほぼ維持する物で足首に際しては−０．２ｃｍと言う効果を発揮した。
【産業上の利用可能性】
【０００６】本発明は冷え性や足のむくみに因る不快感の解消させるだけでは無く。見た目だけでは無く靴のサイズが変わる事は女性ならずとも冷え性やむくみに悩む人々の切実な問題と成るが、本発明に因り解決出来る。従ってアパレル業界及びファッション業界だけでは無く健康機具メーカーへの需要を見込める。
【図面の簡単な説明】
【０００７】
【図１】足のむくみ及び冷え性解消パットを示した平面図である。
【図２】足のむくみ及び冷え性解消パットを示した立体図である。
【図３】足のむくみ及び冷え性解消パットの実施例を示した平面図（足の内側の図）
【図４】パットのあたる位置と計測のポイント
【符号の説明】
【０００８】１．足のむくみ及び冷え性解消パットの絶縁体
２．足のむくみ及び冷え性解消パットの金属（電位〔電荷〕の高い物）
３．足のむくみ及び冷え性解消パットの金属（電位〔電荷〕の低い物）
４．チタン
５．アルミ
６．足のむくみ及び冷え性解消パットの設置点
７．足の計測地点
８．シリコン
【図ｌ】
2005261895.tif 000005
【図２】
2005261895.tif 000006
【図３】
2005261895.tif 000007
【図４】
2005261895.tif 000008